(57)【要約】  本発明は、加湿され、空気流を供給され、水源に接触することを介して水分を得る固体表面を介して（この水源は、前記表面と同様に冷却する傾向があり、その際に、同法則および／または現象に従う当該設備は、加湿処理に伴う液体の温度の変化により効率が下がる）、液体の温度が制御され得る方法、装置、およびシステムに関する。
2019502090.tif 000002
【特許請求の範囲】
【請求項１】
空気および水汚染物質の加湿および濾過を高めるための装置であって、
前記装置の筐体を形成する基部および第１のカバーと、
空気またはガス対流を前記装置内へ生じさせる空気対流手段と、
回転運動を生成し前記回転運動を膜生成手段に伝達する、基部に装着されたモータと
を備え、
前記膜生成手段は、少なくとも１つのディスクの配置を備え、
前記少なくとも１つのディスクは、
中空中央部と、
前記中空中央部の周縁部に配置された複数の溝と、
穴の領域に配置され互いから等距離に配置された複数の穴を有する固体表面と、
前記穴同士の間にかつ固体表面上に配置された熱生成手段と、
を有する、
ことを特徴とする装置。
【請求項２】
前記装置はさらに上カバーを備える、
請求項１に記載の空気および水汚染物質の加湿および濾過を高めるための装置。
【請求項３】
前記装置はさらに少なくとも１つの空気デフレクタを備える、
請求項１に記載の空気および水汚染物質の加湿および濾過を高めるための装置。
【請求項４】
前記熱生成手段（１１６）は、導電性要素を通る電流の流れを制御し前記導電性要素を形成する電気抵抗器の温度を制御する、制御要素によって通電される、
請求項１に記載の空気および水汚染物質の加湿および濾過を高めるための装置。
【請求項５】
ガス／空気供給溝と濾過されたガス／空気を前記装置から放出する放出溝（４０５）とを有する第２のカバーをさらに備えることを特徴とする、
請求項１に記載の空気および水汚染物質の加湿および濾過を高めるための装置。
【請求項６】
前記空気対流手段はシステムの内側で空気対流を生じさせる手段を備える、
請求項１に記載の空気および水汚染物質の加湿および濾過を高めるための装置。
【請求項７】
前記空気対流手段は、軸流ファン、プランジャ、タービン、ラジアルファン、ブロワ、コンプレッサ、および間欠的または連続的な外部空気ストリームまたはパイプラインからの空気ストリームから選択され得る、
請求項１に記載の空気および水汚染物質の加湿および濾過を高めるための装置。
【請求項８】
各ディスクの前記穴は楕円形状を有する、
請求項１に記載の空気および水汚染物質の加湿および濾過を高めるための装置。
【請求項９】
各ディスクの各穴の周縁部は歯付き形状を有する、
請求項８に記載の空気および水汚染物質の加湿および濾過を高めるための装置。
【請求項１０】
前記膜生成手段のアセンブリは円筒状配置となっている、
請求項１に記載の空気および水汚染物質の加湿および濾過を高めるための装置。
【請求項１１】
前記熱生成手段のアセンブリは導電性材料のケーブルである、
請求項１に記載の空気および水汚染物質の加湿および濾過を高めるための装置。
【請求項１２】
前記熱生成手段の形状または配置は各ディスクの前記固体表面上において波形である、
請求項１に記載の空気および水汚染物質の加湿および濾過を高めるための装置。
【請求項１３】
空気および水汚染物質の加湿および濾過を高めるための装置における物質移動を高めるための方法であって、
膜生成手段を構成する少なくとも１つのディスクの固体表面を、前記ディスク上に配置された少なくとも１つの熱生成手段を介して加熱するステップと、
膜セルを形成する楕円形状の溝を有する前記複数のディスクのうちの少なくとも１つを液体に浸漬するステップと、
前記ディスク上に配置された前記少なくとも１つの熱生成手段によって生成された熱の一部を前記液体へ移動させるステップと、
制御手段によって前記装置内の液相の温度を制御して前記液体におけるウエットバルブ現象を抑制することにより、物質移動効率を上昇させるステップと、
少なくとも１つの楕円形状の溝が前記液体を通過するとき、少なくとも１つの楕円形状の溝を介して液膜を形成するステップと、
注入されたガスストリームで前記液膜に接触することにより前記液膜を崩壊するステップと、
前記ガスストリームを放出し、蒸発される水から粒子を除去し、注入されるガスから固形物および汚染物質を除去するステップと、
を備えることを特徴とする、方法。
【請求項１４】
自身の周縁部に配置された複数の溝を備える中空中央部と、自身の表面の上に互いに等距離で配置された複数の穴を有する固体表面と、前記穴同士の間かつ前記固体表面上において配置された熱生成手段とを有する、少なくとも１つのディスクの配置を備える液膜生成手段を備えることを特徴とする、
空気および水汚染物質の加湿および濾過を高めるための装置における物質移動を高めるためのシステム。
【発明の詳細な説明】
【技術分野】
【０００１】
本発明は、液体からガスストリームへ蒸気分子を移動させるためのシステム、方法、および装置に関する。特に、本発明は、空気および水汚染物質、ならびに水に溶解した溶質の、加湿および濾過を高めるためのシステムおよび装置に言及する。具体的には、固体表面および／または水性膜を有する、特定の空気ストリームに水性物質を移動させるための、システムおよび装置を記述する。
【０００２】
本発明は、液体（水）分子が物質移動によって、液体と前記固体表面とに接触しているガスストリーム（空気）へと移動される、物質移動を促進するためのシステムとして説明する。
【背景技術】
【０００３】
液体は、蒸気圧と呼ばれる物理化学的性質を有する。そのような性質は、液体の液相―気相間の平衡を決定する。このような性質により、液体は常に液相と気相との平衡を確立させる傾向がある。
【０００４】
蒸発現象は、液相―気相間の平衡の結果として蒸気が生成されると、生じる。ガスストリームが液相と平衡状態にある蒸気を吸収すると、新鮮な蒸気が生成されて液体―蒸気平衡が再確立される。
【０００５】
物質移動は多くの用途を有する現象であり、２、３の例を挙げるとすると、淡水化工場や環境制御システムにおけるような用途がある。
【０００６】
淡水化工場の場合、その目的は、海水から塩を分離および除去して飲み水を得ることである。海水は、その中に溶解したミネラル塩を含むため、人間が飲む飲料としては適さない。しかも、海水を大量に飲むと死に至り得る。地球の水の約９７．５％は塩辛く、１％未満の量しか人間が飲むのに適していない。したがって、海水を飲料に適したものにすることは、飲み水不足に対する多くの可能な解決策のうちの１つである。特に中東諸国において、淡水化工場が飲み水を製造するようになって暫く経つが、その処理は高くつき、殆ど使用されていない。現在、世界中で１日につき２４００万立方メートルの淡水化水が製造されている。現在の淡水化工場の主たる不都合な点は、植物や動物を絶滅の危機にさらす汚染物質および塩残渣を、水から塩を抽出する処理が生み出すことである。しかし、そのような淡水化処理の主たる問題は、逆浸透、蒸留、凍結、フラッシュ蒸発、水和物形成、または電気透析処理をもってしても、高エネルギー消費コストがかかる、ということである。飲み水１立方メートルあたりの最も効率的な淡水化処理の平均的なコストは約５〜１５ドルであることが知られている。
【０００７】
この点に関して、淡水化処理および工場に関する複数の特許がある。例えば、中国特許出願が、磁極に接続された上下の電極を有する電磁分離手段と、水を通す鉛直方向排出接続管とを用いた、電気透析海水淡水化装置を記述している。
【０００８】
他方では、特許文献１が、蒸気排出口を備える貯留槽体を備える蒸発槽と、貯留槽体に接続されたコントローラとを有する、塩除去電磁装置であって、排出蒸気口の両端は２つのパイプラインユニットに接続されている、塩除去電磁装置に関するものである。前記文献の不都合な点は、蒸発処理が、物質移動をその目的に適用する可能性を利用していないことである。
【０００９】
物質移動処理においては、液相と平衡状態にある蒸気に空気ストリームが出あうと、平衡が壊れ、新たな蒸気が生成されて前記平衡が回復され、生成された空気は湿り空気である。
【００１０】
前記物質移動処理はいくつかの蒸発加湿器に適用されている。
【００１１】
しかし、加湿器によっては、加湿された材料を用いる他の処理を使用しており、前記材料が菌類、藻類、および好気性細菌を生じさせる源になり得るという不都合がある。
【００１２】
特許文献２は、加湿材料の一部を浸水させ上部を空気に曝す、吸収性材料を備える蒸発加湿器に関するものである。前記特許では、フロート弁を使用して給水を制御することも記述されている。
【００１３】
沸騰加湿器は、空気ストリームと沸騰水から得られたスチームストリームとを混合する。
【００１４】
前記蒸発装置にはあらゆる種類の微生物を除去するという利点があるが、前記蒸発装置は、そのようなスチームストリームによって運ばれる、水から生じた不溶性の塩やミネラルからなる「白い粉」を生成する。他方では、蒸発加湿器には、水を沸騰するのに多くのエネルギーを消費するという不都合がある。さらに、前記加湿器は空気ストリームに含まれる汚染物質を除去するための手段を提供していない。
【００１５】
温ミスト加湿器は、露点に近いスチームで動作する。スチームは、スチームと小さな水滴と空気とのガス混合物が得られるように、空気ストリームに接触する直前に冷却される。したがって、そのような設備には、空気汚染物質を保持するという不都合がある。また、前記ミスト加湿器は、空気ストリーム内に存在する汚染物質を除去するための手段を備えていない。
【００１６】
冷ミスト加湿器では、水または水性液体が噴霧され、空気と混合される。前記設備には、湿り空気ストリーム内の汚染物質および微生物を保持する不都合がある。
【００１７】
そのような加湿器はまた、空気ストリームに含まれる汚染物質を除去するための手段を備えていない。
【００１８】
超音波加湿器は、高周波振動を使用して水を噴霧して蒸発させる。しかしながら、超音波加湿器には保守コストが高くつくという不都合がある。さらに、そのような加湿器はまた、空気ストリームに含まれる汚染物質を除去するための手段を備えていない。
【００１９】
上述したように、沸騰加湿器、温ミスト加湿器、冷ミスト加湿器、および超音波加湿器は、空気ストリームに含まれる汚染物質を除去せず、そのような加湿器においては、加湿された空気ストリームと共に汚染物質が運ばれる。
【００２０】
他方では、蒸発気化器の場合、加湿された材料内の塵が濾過によって除去されても、加湿された材料に接触している前記塵は、菌類、藻類、および好気性細菌の発生を引き起こす。また、時間が経つにつれ、加湿された材料に蓄積した塵は、加湿された材料を介した空気循環を阻害する傾向があり、したがって、蒸気ストリームへの水の移動に影響を及ぼす。
【００２１】
塵除去のために、様々な種類のフィルタが知られている。また、例えば炭坑などの採掘坑環境において、塵含有量を制御するために泡を使用することが知られている。前記泡は、イジェクタによって生成され、高速で空気ストリームおよび水ストリームに混合される。
【００２２】
１９７７年１月４日および１９８３年８月２３日の特許文献３および特許文献４は、サイクロンにおいて気泡を用いて塵を除去するためのシステムを記述している。
【００２３】
最後に、本出願人によって開発された特許文献５は、汚染物質を除去しながら液相からガス相へ物質を移動させるシステムおよび装置であって、複数の液膜生成セルを備え、前記液膜はガスストリームに接触することによって崩壊することを特徴とする、システムおよび装置に言及している。崩壊した液体材料は、懸濁粒子を覆い、デカンテーションを介して懸濁粒子を除去し、膜セルもまた、ガスストリームの速度を上げ、前記ストリームを液体の表面に角度４５°で衝突させる。しかし、前記蒸発装置には、物質移動における上閾値に関するいくつかの不都合がある。
【００２４】
しかしながら、前記システムでは、前記システムを通して湿度を吸収する空気流に接触している固体表面に供給を行う水ミラー（ｍｉｒｒｏｒ）（液体の槽、貯留槽、容器）における、ならびに接触表面における冷却が、問題となっている。これは「ウエットバルブ」と呼ばれる現象によるものであり、ウエットバルブ現象では、液体が冷却されるにつれ、その水性分子が自然温度現象（最も極端な例では、氷が形成され、完全に固化される）によって圧縮して固まる傾向がある。この水性分子の冷却が、接触表面を用いた全ての既知のコールド蒸発システムの蒸発能力を、劇的に低減させている。
【００２５】
本発明は、加湿された空気ストリームから塵および汚染物質などの粒子を除去し、さらには、液体（水）内の金属、粒子、および塩を除去する際に使用するための、液体からガスストリームへ蒸気分子を移動させるための高効率システムおよび装置を提供し、それによって、上述のシステムおよび装置に伴う問題を実質的に解決するものである。高効率化は、液体ミラー（水）における「ウエットバルブ」現象を抑制することによって達成され、本発明の前記システム、方法、および装置は、接触表面を用いて液体温度を上昇させることによって加湿を１０００％まで増加させることが可能な、１つまたは複数の要素に基づく。
【００２６】
本発明を実施するにあたり、ディスクを用いて生成される水性膜セル（気泡）の特徴を研究し、前記ディスクおよび液体に対する温度の効果、ならびに、空気流速度および特にディスク（膜セル）の穴の大きさを考慮しつつ、ディスクを用いて生成される水性膜セル（気泡）の特徴を、研究および検証した。その結果、ガス流（空気）内の液体分子（水）の移動効率はディスク上の膜セルおよび液体の温度の上昇に従って上昇することが分かった。気泡コラムは従来の加湿器と比較して最も高い効率を達成する。
【先行技術文献】
【特許文献】
【００２７】
【特許文献１】中国実用新案第ＣＮ２０３９２２７８３Ｕ号
【特許文献２】米国特許第ＵＳ５，９４５，０３８号
【特許文献３】米国特許第ＵＳ４，０００，９９２号
【特許文献４】米国特許第ＵＳ４，４００，２２０号
【特許文献５】メキシコ特許第２６４６３５号
【発明の概要】
【発明が解決しようとする課題】
【００２８】
本発明によれば、主たる目的は、液体からガスストリームへ蒸気分子を移動させるための高効率システムおよび装置を提供することである。
【００２９】
本発明の第２の目的は、加湿され空気流に曝される固体表面によって温度を制御可能にし、ウエットバルブ現象を回避する、高効率物質移動システムおよび装置を提供することである。
【００３０】
本発明の第３の目的は、菌類、藻類、および好気性細菌を生じさせることなく、加湿された空気ストリームから塵および汚染物質を除去する、高効率物質移動システムおよび装置を提供することである。
【００３１】
本発明の第４の目的は、水中の塩、金属、または他の粒子などの、水に溶解した溶質を除去する高効率物質移動システムおよび装置を提供することである。
【図面の簡単な説明】
【００３２】
本発明の詳細な説明のために、以下において、添付の図面を参照する。
【図１】本発明の高効率物質移動システムおよび装置の膜生成手段を示す。
【図２Ａ】本発明の高効率物質移動システムおよび装置の各ディスクによって構成される要素の詳細を示す。
【図２Ｂ】本発明の高効率物質移動システムおよび装置の各ディスクによって構成される要素の詳細を示す。
【図３】本発明の高効率物質移動システムおよび装置の膜ディスクの組付け板を示す。
【図４】本発明の液体から蒸気分子を移動させるためのシステムおよび装置の膜生成手段の図である。
【図５】本発明の高効率物質移動システムおよび装置の分解図を示す。
【図６】本発明の電磁界誘導を介した固形物捕捉を伴う物質移動システムの側断面図である。
【発明を実施するための形態】
【００３３】
周知のとおり、接触表面を用いたコールド蒸発設備は、水（蒸発性液体）を固体表面または半固体表面に通し、これらの固体表面または半固体表面は、湿度を吸収可能な空気流（つまり、その相対湿度は１００％未満）に曝され、空気流は、湿表面上で湿度を交換しながら前記湿度の一部を吸収し、蒸発（システムを通過する乾燥空気の相対湿度の増加）を生じさせる。
【００３４】
既知のシステムにおいては、接触表面および液体は空気流に曝され、「ウエットバルブ」現象によって冷却される。そして、接触表面および液体が前記現象により冷却されると、温度低下により分子が凝集するため、効率が失われる。
【００３５】
特に、本発明は、加湿され空気流（この空気流は水源に接触することにより湿る）に曝される固体表面を介して液体の温度が制御され得る、方法、装置、およびシステムに関する。前記水源は、前記表面と同様に暖まる傾向があり、これが起こると、その効率は高まる、なぜなら接触表面の温度変化が、加湿処理に伴う液体におけるのと同様に、抑制されるからである。
【００３６】
図１によれば、本発明の高効率物質移動システムは、液膜セル生成手段（１００）を備える。液膜セル生成手段（１００）は、回転用シャフト（１３０）に組付けられた組付け板（１２０）に配置された複数のディスク（１１０）を備え、前記ディスク（１１０）は、互いから等距離に平行に配置されて、水性膜生成ディスク（１１０）の円筒状配置を形成している。
【００３７】
図２は、膜生成手段（１００）を構成する複数のディスクからの一枚のディスク（１１０）の詳細を示す。
【００３８】
各ディスク（１１０）は、周縁部に配置された複数の溝（１１１）を備える中空中央部（１１４）と、互いに等距離に離間されて配置された複数の穴（１１２）を有する固体表面（１１５）とを備える。特に、各穴（１１２）は、水性膜が生成される周縁部（１１３）を有する。本明細書では、前記周縁部を膜セルと称する。
【００３９】
図２に示すように、前記穴（１１２）は、楕円（ｏｖａｌ）形状を有し、各楕円周縁部は、液膜形成に有利なように、より大きな接触表面を提供するために波形となっており、穴（１１２）の形状および前記穴（１１２）の周縁部の形状は液膜の形成に適している。
【００４０】
図１および２を参照して、膜生成手段（１００）のディスク（１１０）は、前記穴（１１２）内およびディスク（１１０）同士の間の間隙内に液膜を形成する。したがって、ディスク（１１０）同士の間の間隙にも液膜が存在し、物質移動処理を促進する。
【００４１】
液体は、ガスストリームにより膜を通して拡散し（物質移動）、排出空気を改質させる。この液体拡散は、穴（１１２）における膜直径、水性膜の速度（空気の体積における膜―液体比）、水温、およびディスク（１１０）の温度に依存し、これが物質移動係数の上昇につながる。
【００４２】
図２に戻って、各ディスク（１１０）は、各ディスク（１１０）の固体表面（１１５）の穴（１１２）同士の間に配置される少なくとも１つの導電性要素を備える熱生成手段（１１６）を備える。前記熱生成手段（１１６）の形状は、うねった波形であるが、前記形状に限定されず、ディスク（１１０）の前記固体表面（１１５）上において直列または並列に接続された複数の電気抵抗器を形成している。しかし、図２から分かるように、熱生成手段（１１６）の構成、形状、および接続は前記構成に限定されず、したがって、異なる規則的および不規則なパターンを有する、穴（１１２）、熱生成手段（１１６）、およびディスク（１１０）間の代替の配置も本発明の範囲内であり使用可能であることを、理解されたい。
【００４３】
熱生成手段（１１６）は、導電性要素を通る電流の流れを制御する制御要素によって通電される。制御手段および温度センサを使用して、前記導電性要素を形成する電気抵抗器の温度が制御される。この目的は装置の効率を上げるために物質移動ゾーン内のポイント温度を上げることである。
【００４４】
したがって、ディスク（１１０）の温度は、湿潤化されてから空気流（この空気流は液体源に接触することによって湿る）に曝される固体表面（１１５）上の熱生成手段（１１６）を用いることにより制御され、前記ディスク（１１０）は熱を液体源へ伝達する。温度は、「ウエットバルブ」現象が液体源ミラーにおいて抑制されるように、システムにおいて維持され制御され、これにより、物質移動効率の上昇と１０００％までの性能がもたらされる。
【００４５】
図３に示す組付け板は、スロット（３０１）を有する矩形組付け板（１２０）からなり、前記組付け板（３００）は櫛状の形状を有する。図示しないディスク（１１０）のスロット（１１１）が組付け板（１２０）のスロット（３０１）に連結されて、円筒に似た構造を有する膜生成手段を形成する。
【００４６】
当業者には明らかとなるように、前記ディスク（１１０）は例えば多角形形状などの任意の形状を有することができる。
【００４７】
図２および４を参照して、ディスク（１１０）の中空中央部（１１４）は、円筒状配置における複数の膜セル（１１８）の内部にチャンバ（１１７）を画成する。一対のキャップ（１７０）が前記膜生成手段（１００）の前記円筒状配置の側部ディスク（１１０）の中空中央部（１１４）を覆い、それによって、膜生成手段（１００）の中央部へガス流が入ることを防止している。
【００４８】
膜セル（１１８）は、前記ディスク（１１０）の固体表面（１１５）と組付け板（１２０）との間の空間に形成される。前記セルは、１つの面が広がっている不規則な立方体の形状を有する。複数のディスク（１１０）は、熱伝達ならびに水性膜の形成を可能にする任意の金属材料からできている。
【００４９】
熱生成手段（１１６）は、所定の温度までディスク（１１０）を熱し、それによって、固体表面（１１５）に含侵された液体を蒸発させ、ディスク（１１０）同士間における、および前記ディスク（１１０）同士間に形成された膜セル（１１２）における水性膜を、注入されたガス流によって破壊可能とする。
【００５０】
図５によれば、液体からガスストリームへ蒸気分子を移動させるための高効率装置は、装置の筐体を構成する、例えば金属またはプラスチックなどの任意の材料でできていてよい、基部（４０１）と第１のカバー（４０２）とを備え、基部（４０１）はシステムによって処理される液体を収容する。基部（４０１）は、処理される液体の加熱を効率的にするために少なくとも１つの電気抵抗器の配置を含み、第２のカバー（４０３）は、ガスまたは空気を供給するための供給溝（４００）と、装置からガスを放出するための放出溝（４０５）とを有する。
【００５１】
空気対流手段（４０４）は、システム内側で空気またはガス対流を生じさせる任意の手段を備える。図５および６によれば、前記手段は、内部デフレクタ（４０５）に装着された軸流ファンとして設けられているが、空気流を生成する任意のシステム、例えばプランジャ、タービン、ラジアルファン、ブロワ、コンプレッサなどが使用できる。代替として、例えばパイプラインからのストリームなどの外部空気ストリームが使用できる。空気またはガス流は間欠的なものでも連続的なものでもよい。
【００５２】
モータ（４０６）が、基部（４０７）に装着されており、回転運動を生成し、その回転運動を、歯車またはギヤ（４０８）への機械連結を介して膜生成手段（１００）へ伝達する。
【００５３】
図６によれば、空気対流手段（４０４）によって注入された空気は、図１〜３で詳細に図示されている、それぞれディスク熱生成手段（１１６）を有する複数のディスク（１１０）を備える、膜生成手段（１００）を通過させられる。さらに、熱生成手段（１１６）は、液体からガスストリーム（５０１）へ蒸気分子を移動させるための高効率装置の基部（４０１）に収容された液体（５００）を加熱する。
【００５４】
ディスク（１１０）は、膜生成手段（１００）が液体（５００）に浸漬されたり液体（５００）から現れたりするように連続的または間欠的に回転し、膜生成手段（１００）を構成する各ディスク（１１０）の穴（１１２）内に液膜を形成し、さらに、液膜が各ディスク（１１０）同士の間の空間に形成される。
【００５５】
したがって、一旦、空気対流手段（４０４）によって注入された空気がディスク（１１０）を通過するすると、空気の一部が膜生成手段（１００）の幾何学的形状と櫛状の組付け板（１２０）の位置によりそらされ、空気の向きを変える。膜生成手段（１００）ゾーンの内側の空気圧力は均一である。
【００５６】
組付け板（１２０）ゾーンにおいて生成された渦は、それらのスポットで空気を再循環させる。このことは、ディスク（１１０）を通過する流れは乱流でなければならないので、有利である。渦値が意味するものは、らせん回転を伴う乱流である。注入された空気は複数のベクトルを形成し、さらに設置された（図示せず）デフレクタの補助により、空気は直接ディスク（１１０）と組付け板（３００）に向かって流れる。したがって、より大きな圧力がディスク（１１０）にかかるという基準は達成され、膜の破壊が確実となる。
【００５７】
ディスク（１１０）は、一定の液体レベルまで液体（５００）を収容した基部（４０１）内に部分的に浸漬された熱生成手段（１２６）を介して、所定の温度に加熱される。膜生成手段（１００）のディスク（１１０）は、生成された熱の一部を液体（５００）へ移動させる。図６に示すように、膜生成手段（１００）の回転により、ディスク（１１０）は位置Ａへと浸漬され、基部（４０１）の液体は、液体がディスク（１１０）の一部を濡らしているので、熱生成器（１２６）によって一定の温度に加熱される。
【００５８】
その後、ディスク（１１０）は位置Ｂへ回転し、浸漬されていた膜穴（１１２）の半分が現れ、液体（５００）の一部が容器（４０１）に戻される。しかし、液体の表面張力により、水性膜が、基部（４０１）の液体表面から現れる各穴（１１２）内に生成される。
【００５９】
少なくとも１つの水性膜が、膜生成手段（１００）において液体から形成され、空気対流手段（４０４）によって注入された空気流に衝突される。膜は霧状に崩壊して何千もの粒子となる。空気中に懸濁した粒子は、膜の霧によって捉えられデカントされる。
【００６０】
前記膜生成手段（１００）のディスク配置（１１０）により、ガス中に分散したままの加湿された粒子が空間と時間をかけて沈降し凝集できるようにする手段が、本発明のシステムおよび装置に提供される。
【００６１】
空気流（５０１）は膜生成手段（１００）の水性膜に直接衝突し、水性膜は、空気流を受けると崩壊し霧となって、各膜の一部であった何千もの小さな液体粒子になる。
【００６２】
ガスストリームを伴う固形物粒子および汚染物質は、前記膜の破壊時に飽和となる結果、デカントされる。この効果により懸濁粒子が捕捉され、懸濁粒子の重量変化と沈降が生じる。
【００６３】
本開示で説明した液膜は、塵などの小さな粒子の物質に接触して崩壊され、崩壊した膜の部分は、１ミクロンの大きさの粒子を濡らすことができる。このようにして、空気中の粒子が収集され凝集される。
【００６４】
同時に、崩壊した膜の液体粒子は空気ストリームへ移動して空気ストリームを加湿する。代替的に添加可能な芳香もまた、芳香化することにより空気ストリームに移動する。処理の結果として生じる空気流は、完全に清浄な状態で放出され、環境を加湿し芳香化する。
【００６５】
膜を破壊することによって液体を霧状にすることにより、液体のガスストリームへの移動が促進され、さらに、液体（５００）の温度を制御することにより、液体における「ウエットバルブ」現象が抑制され、物質移動効率が上昇する。液体は冷却するにつれ、その水分子は自然温度現象（最も極端な例は氷の形成であり、完全に固化される）によって圧縮して固まる傾向があり、この水性分子の冷却が蒸発能力を劇的に低減させている。
【００６６】
本発明の好ましい実施形態において、膜生成手段（１００）は、膜セルを円筒状配置で形成する複数のディスク（１１０）として示されている。しかし、当業者には明らかとなるように、上記配置は、セルの前記形状または数に限定されず、変更可能である。例えば、膜セルは、空気が循環するセルのブロックとして配置できる。ただし、液体供給手段は、前記セルのブロックを浸漬するまたは濡らさなければならない。膜生成セルのブロックは、本発明の範囲内に含まれると考えられる。
【図１】
2019502090.tif 000003
【図２Ａ】
2019502090.tif 000004
【図２Ｂ】
2019502090.tif 000005
【図３】
2019502090.tif 000006
【図４】
2019502090.tif 000007
【図５】
2019502090.tif 000008
【図６】
2019502090.tif 000009
【国際調査報告】
2019502090.tif 000010
2019502090.tif 000011
2019502090.tif 000012
2019502090.tif 000013
2019502090.tif 000014
2019502090.tif 000015